(57)【要約】  リクエスト処理部（１２）は、ユーザが配信を希望するコンテンツについてのリクエストを受け付ける。配信先特定部（１４）は、リクエストされたコンテンツを再生できるコンテンツ再生機器を、複数のコンテンツ再生機器の中から少なくとも１つ特定する。リクエスト処理部（１２）は、配信先特定部（１４）が特定したコンテンツ再生機器のうち、どの装置にコンテンツを配信するのかを、端末装置を通じてユーザに選択させる。コンテンツ取得部（１０）は、コンテンツを外部から取得する。取得されたコンテンツを、コンテンツ配信部（２０）が、ユーザが選択したコンテンツ再生機器に配信する。これにより、ユーザが視聴を求めたコンテンツを、コンテンツ再生機器を通じてユーザが確実に視聴する。
2008153067.tif 000002
【特許請求の範囲】
【請求項１】
指定されたコンテンツを再生するためのコンテンツ再生要求を受信する受信手段と、
前記受信されたコンテンツ再生要求に基づき、前記コンテンツ、および前記コンテンツの取得および再生に関する情報であるコンテンツ情報を取得する取得手段と、
ネットワークを通じてコンテンツ配信装置に接続された複数のコンテンツ再生機器から、各再生機器の属性を表す属性情報を取得する属性情報取得手段と、
前記取得されたコンテンツ情報および属性情報に基づき、前記コンテンツを再生できるコンテンツ再生機器を特定する特定手段と、
前記取得されたコンテンツを、前記特定されたコンテンツ再生機器に配信することによって、当該コンテンツを当該コンテンツ再生機器に再生させる配信手段とを備えているコンテンツ配信装置。
【請求項２】
自装置が管理する複数のコンテンツ再生機器の少なくともいずれかに、コンテンツを配信するコンテンツ配信装置であって、
上記コンテンツを外部から取得する取得手段と、
上記コンテンツを再生できるコンテンツ再生機器を、上記複数のコンテンツ再生機器の中から少なくとも１つ特定する特定手段と、
上記特定手段が特定した上記コンテンツ再生機器に、上記コンテンツを配信するコンテンツ配信手段とを備えていることを特徴とするコンテンツ配信装置。
【請求項３】
上記特定手段は、
上記コンテンツのフォーマットに対応した上記コンテンツ再生機器を、上記コンテンツを再生できる上記コンテンツ再生機器として特定することを特徴とする請求の範囲第１項または第２項に記載のコンテンツ配信装置。
【請求項４】
所定のフォーマットに変換後の上記コンテンツを、上記コンテンツ再生機器が再生できるか否かを判定する判定手段と、
上記取得手段が取得した上記コンテンツを、上記フォーマットのものに変換する変換手段とをさらに備え、
上記特定手段は、
上記判定手段によって、上記所定のフォーマットに変換後の上記コンテンツを再生できると判定された上記コンテンツ再生機器を、上記コンテンツを再生できる上記コンテンツ再生機器として特定し、
上記配信手段は、
上記変換手段によって上記所定のフォーマットのものに変換されたあとの上記コンテンツを、上記コンテンツ再生機器に配信することを特徴とする請求の範囲第１項または第２項に記載のコンテンツ配信装置。
【請求項５】
上記特定手段は、
上記コンテンツを配信する際の配信方法に対応した上記コンテンツ再生機器を、上記コンテンツを再生できる上記コンテンツ再生機器として特定することを特徴とする請求の範囲第１項または第２項に記載のコンテンツ配信装置。
【請求項６】
規定の配信方法とは異なる他の配信方法によって配信した上記コンテンツを、上記コンテンツ再生機器が再生できるか否かを判定する判定手段をさらに備え、
上記特定手段は、
上記判定手段によって、上記他の配信方法によって配信した上記コンテンツを再生できると判定された上記コンテンツ再生機器を、上記コンテンツを再生できる上記コンテンツ再生機器として特定し、
上記配信手段は、
上記コンテンツを、上記他の配信方法によって上記コンテンツ再生機器に配信することを特徴とする請求の範囲第１項または第２項に記載のコンテンツ配信装置。
【請求項７】
上記特定手段が複数の上記コンテンツ再生機器を特定したとき、これらのうち、どの上記コンテンツ再生機器に上記コンテンツを配信するのかを、ユーザに選択させる選択手段をさらに備え、
上記コンテンツ配信手段は、
上記コンテンツを、上記選択手段を通じて上記ユーザが選択した上記コンテンツ再生機器に配信することを特徴とする請求の範囲第１項または第２項に記載のコンテンツ配信装置。
【請求項８】
上記選択手段は、上記フォーマットに関する情報を、上記ユーザに提示することを特徴とする請求の範囲第７項に記載のコンテンツ配信装置。
【請求項９】
上記選択手段は、
上記特定手段によって特定された複数の上記コンテンツ再生機器のうち、上記コンテンツ取得手段が取得したコンテンツをそのまま再生できるコンテンツ再生機器を、上記変換手段が上記フォーマットに変換した上記コンテンツを再生できる上記コンテンツ再生機器よりも優先的に上記ユーザに提示することを特徴とする請求の範囲第７項に記載のコンテンツ配信装置。
【請求項１０】
請求の範囲第１項から第９項のいずれか１項に記載のコンテンツ配信装置を動作させるプログラムであって、コンピュータを上記の各手段として機能させるためのプログラム。
【請求項１１】
請求の範囲第１０項に記載のプログラムを記録しているコンピュータ読み取り可能な記録媒体。
【発明の詳細な説明】
【技術分野】
【０００１】
本発明は、コンテンツを外部から取得し、自装置の管理下にある各種のコンテンツ再生機器に配信するコンテンツ配信装置、プログラム、および記録媒体に関する。
【背景技術】
【０００２】
家庭内のＨＤＤ（Ｈａｒｄ  Ｄｉｓｋ  Ｄｒｉｖｅ）レコーダなどに録画して蓄積した番組や、ＰＣ（Ｐｅｒｓｏｎａｌ  Ｃｏｍｐｕｔｅｒ）内に蓄積されたデジタルカメラによって撮られた写真などの、各種のコンテンツを、家庭内のどのテレビからでも見られるようにすることは、ホームネットワーク技術の基本的な達成目標である。このことは、ロケーションフリー（Ｌｏｃａｔｉｏｎ  Ｆｒｅｅ）というキーワードによって説明されることが多い。また、ＤＬＮＡ（Ｄｉｇｉｔａｌ  Ｌｉｖｉｎｇ  Ｎｅｔｗｏｒｋ  Ａｌｌｉａｎｃｅ）などの標準規格も整備されつつあり、各社からＤＬＮＡ対応端末が販売されている。【０００３】
ＤＬＮＡでは、ＤＭＳ（Ｄｉｇｉｔａｌ  Ｍｅｄｉａ  Ｓｅｒｖｅｒ）と呼ばれるメディアサーバに蓄積された動画、静止画、および音声などからなるコンテンツの中から、ＤＭＣ（Ｄｉｇｉｔａｌ  Ｍｅｄｉａ  Ｃｏｎｔｒｏｌｌｅｒ）と呼ばれるコントローラによって所望のコンテンツを指定し、さらにＤＭＲ（Ｄｉｇｉｔａｌ  Ｍｅｄｉａ  Ｒｅｎｄｅｒｅｒ）と呼ばれるレンダラを指定することによって、該コンテンツを該レンダラにおいて再生できる。【０００４】
通常、ＤＭＣとしてＤＬＮＡ専用のリモコンまたは携帯電話などが選択され、ＤＭＲとしてテレビ、ＰＣ、またはオーディオ機器などが選択される。ＤＭＳ、ＤＭＲ、およびＤＭＣの中には、複数の機能を兼ね備えた機器も存在する。たとえばＤＭＲおよびＤＭＣの双方の機能を持つ機器は、プレーヤまたはＤＭＰ（Ｄｉｇｉｔａｌ  Ｍｅｄｉａ  Ｐｌａｙｅｒ）と呼ばれる。【０００５】
また近年、上述したＤＬＮＡのようなホームネットワークに連結された家電機器および再生装置などを利用する仕組みに関して、様々な発明が提案されている。【０００６】
たとえば、特許文献１には、ホームネットワークに連結された家電機器にアクセスするためのインターフェースの提供に関する発明が開示されている。より具体的には、インターネット技術を利用して、ホームネットワークに接続された多様な家電機器を検出し、ネットワークを介して家電機器を制御するものである。【０００７】
また、特許文献２にも、特許文献１と同様に、ホームネットワークに連結された家電機器にアクセスするためのインターフェースの提供に関する発明が開示されている。特許文献２に記載の構成では、クライアントとして動作するデジタルテレビとサーバとして動作する家電機器がホームネットワークに接続されている。そして、デジタルテレビでは、各家電機器から、当該家電機器に対する制御情報等が含まれるＨＴＭＬファイルを受信して解読し、ディスプレイ表示することによって、ユーザに対して各種家電機器の制御情報等を視覚的に提示する。【０００８】
さらに、特許文献３には、ホームネットワーク上の複数の再生装置から、ユーザの所望する装置を迅速に選択し、選択された装置を通じて携帯端末に格納されているコンテンツを再生する技術に関する発明が開示されている。より具体的には、ネットワーク上の複数のコンテンツ再生機器からディスクリプションを受信し、受信したディスクリプションをもとに複数のコンテンツ再生機器の機器リストをユーザに提示した後、提示された機器リストの中からユーザによって１つのコンテンツ再生機器が選択されると、選択されたコンテンツ再生機器がユーザに対して自身が選択されたことを示すための報知を行うものである。
【特許文献１】日本国公開特許公報「特開２００３−２０９８９３号公報（公開日：平成１５年  ７月２５日）
【特許文献２】日本国公開特許公報「特開２００４−  ３０６３１号公報（公開日：平成１６年  １月２９日）
【特許文献３】日本国公開特許公報「特開２００６−１３４３１５号公報（公開日：平成１８年  ５月２５日）
【発明の開示】
【０００９】
しかしながら、上記従来の構成は、あくまで、ホームネットワークに関する技術であるため、たとえば、ＤＬＮＡのみでは、自宅のＤＭＳに蓄積されているコンテンツを、ユーザが別宅のＤＭＲから自由に視聴することはできない。
【００１０】
そして、自宅のホームネットワーク外部において、ホームゲートウェイを介して自宅内のＤＭＳに蓄積されたコンテンツを視聴することを考えた場合、友人宅およびホテルなどの自宅外のローカルネットワーク上にある端末、すなわち、自宅外で視聴に利用するＤＭＲなどは、ユーザにとっては訪問時に初めて出会う機器である。そのため、あらかじめ自宅のＤＭＳに自宅外のＤＭＲにおいて再生可能なデータ形式のコンテンツを用意しておくことや、あらかじめホームゲートウェイに自宅外のＤＭＲへのコンテンツ配信に対応した各種の設定（たとえば、コンテンツ配信のプロトコル等）を行っておくことはできない。
【００１１】
たとえば、ＡＶコンテンツを視聴するシーンでは、自宅で視聴に利用しているテレビとホテルにあるテレビとでは画面サイズに大きな違いがあるかもしれない。自宅のホームネットワーク上のＤＭＳに蓄積されているコンテンツは、自宅のテレビ画面の縦横比に対応している場合が多いと考えられる。そのため、自宅のテレビ画面の縦横比が９：１６であるのに対し、ホテルのテレビ画面の縦横比が４：３の場合には、そのまま視聴するよりも画面比を含めコンテンツを変換した方がよい場合がある。
【００１２】
また、ホームネットワーク内はＬＡＮのため安定した広帯域での通信が可能であるが、自宅外からアクセスする場合に経由するインターネット上の帯域は、視聴場所の通信環境または通信経路などの状況によりその時々で変わるため、ストリーミングなどは困難な場合も考えられる。その場合、ストリーミングプロトコルでの伝送を諦め、ファイル転送を利用した方が快適に視聴できる可能性がある。
【００１３】
さらに、友人宅または親戚宅を訪れたとき、利用可能な機器が複数あることも考えられ、場合によっては今いる部屋では見られなくても隣の部屋の機器を借りれば見ることができるかもしれないし、今いる部屋で見ることができても隣の部屋の方が快適に見られるかもしれない。その場合も、機器によってはコンテンツデータおよびプロトコルの変換が必要になる可能性がある。
【００１４】
これに対して、特許文献１または特許文献２に開示されている発明によれば、ホームネットワークに接続されている各家電機器から、各家電機器の制御情報等を取得し、それらの情報をユーザに対してグラフィカルに提示できるようになる。これにより、他の部屋にテレビがあることを知ることができ、また、そのテレビの制御（電源のＯＮ／ＯＦＦ、チャンネル切替、およびボリューム調整など）を行うことができるようになる。また、特許文献３に記載されている発明によれば、ホームネットワーク上の複数の再生装置について一覧情報を取得し、利用する再生装置を選択できる。
【００１５】
しかしながら、上記の特許文献において開示されている発明では、たとえば、他の部屋にあるテレビについて画面サイズおよび実装されているコーデックなど、テレビの機能等の情報が提示されるわけではない。そのため、視聴しようとしているコンテンツについて、今いる部屋のテレビは再生機能などの面で低機能であるため視聴できないが隣の部屋にいけば大画面のテレビで視聴できること、あるいは、この部屋のテレビでも視聴できるようにコーデックを変換したり、伝送方法を工夫したりすることなど、幾つもの視聴可能性があるにもかかわらずユーザは知る術を持たないため諦めざるをえない。
【００１６】
本発明は、上記の問題点に鑑みてなされたものであり、ユーザが視聴を求めたコンテンツを、コンテンツ再生機器を通じてユーザが確実に視聴できるコンテンツ再生機器をユーザが選択できるコンテンツ配信装置、プログラム、および記録媒体を実現することにある。
【００１７】
本発明に係るコンテンツ配信装置は、上記の課題を解決するために、
自装置が管理する複数のコンテンツ再生機器の少なくともいずれかに、コンテンツを配信するコンテンツ配信装置であって、
上記コンテンツを外部から取得する取得手段と、
上記コンテンツを再生できるコンテンツ再生機器を、上記複数のコンテンツ再生機器の中から少なくとも１つ特定する特定手段と、
上記特定手段が特定した上記コンテンツ再生機器に、上記コンテンツを配信するコンテンツ配信手段とを備えていることを特徴としている。
【００１８】
上記の構成によれば、コンテンツ配信装置は、自装置が管理するコンテンツ再生機器に、コンテンツを配信する。このコンテンツは、コンテンツ配信装置にあらかじめ用意されているものではない。そのためコンテンツ配信装置は、外部から、たとえば通信ネットワークを通じてコンテンツを取得する。より具体的には、たとえば、あるユーザの友人宅にあるコンテンツ配信装置が、当該ユーザの自宅内にある、コンテンツを外部に公開して提供するゲートウェイ装置から、当該コンテンツを取得する例がある。
【００１９】
コンテンツ配信装置は、たとえばユーザが指定したコンテンツを外部から取得し、コンテンツ再生機器に配信する。このときコンテンツ配信装置は、自装置の管理下にある複数のコンテンツ再生機器の中から、コンテンツを再生できるコンテンツ再生機器を、少なくとも１つ特定する。たとえば、コンテンツ「ａ」に関するコンテンツ情報に定義されたフォーマットと、コンテンツ再生機器「Ａ」に関する機器情報に定義された、コンテンツ再生機器「Ａ」が再生対象としているコンテンツのフォーマットとが一致しているとき、コンテンツ配信装置は、コンテンツ再生機器「Ａ」を、コンテンツ「ａ」を再生できる機器として特定する。
【００２０】
これによりコンテンツ配信装置は、特定したコンテンツ再生機器に、外部から取得したコンテンツを配信する。たとえば、コンテンツ「ａ」を再生できるコンテンツ再生機器として機器Ａ、Ｂ、およびＣを特定したとする。このときコンテンツ配信装置は、これらのうち１つだけにコンテンツ「ａ」を配信してもよいし、すべてに配信してもよい。いずれにせよユーザは、配信先のコンテンツ再生機器を通じて、コンテンツ「ａ」を視聴できる。つまり、ユーザにとってはなじみのない友人宅を訪れ、自宅にあるコンテンツ「ａ」を転送して視聴しようとしたとき、確実に視聴できる。
【００２１】
以上のように、本構成のコンテンツ配信装置では、ユーザが視聴を求めたコンテンツを、コンテンツ再生機器を通じてユーザが確実に視聴できる効果を奏する。
【００２２】
本発明の他の目的、特徴、および優れた点は、以下に示す記載によって十分分かるであろう。また、本発明の利点は、添付図面を参照した次の説明で明白になるであろう。
【図面の簡単な説明】
【００２３】
【図１】本実施形態に係るＦＧＷの構成を示す図である。
【図２】本実施形態に係るコンテンツ配信システムの構成を示す図である。
【図３】コンテンツリストの一例を示す図である。
【図４】コンテンツリストのデータ構造を示す図である。
【図５】コンテンツリストをユーザに提示している携帯端末を示す図である。
【図６】本実施形態におけるコンテンツ配信処理の流れを示すフローチャートである。
【図７】コンテンツ情報の一例を示す説明図である。
【図８】機器情報の一例を示す図である。
【図９】コンテンツを再生できる機器を提示する優先順位のルールを示す図である。
【図１０】本発明に係る他の形態のコンテンツ配信システムを示すブロック図である
【図１１】ネットワークテレビがメッセージを表示している様子を示す図である。
【図１２】ネットワークテレビがメッセージを表示している様子を示す図である。
【図１３】予約管理票の一例を示す図である。
【図１４】携帯電話がメッセージを表示している様子を示す図である。
【図１５】コンテンツ配信システムにおける処理の流れを示すシーケンス図である。
【符号の説明】
【００２４】
１  フォーリンゲートウェイ（コンテンツ配信装置）
１０  コンテンツ取得部
１２  リクエスト処理部（入力手段、選択手段）
１４  配信先特定部（特定手段、判定手段）
１６  配信先情報取得部
１８  コンテンツ変換部（変換手段）
２０  コンテンツ配信部（配信手段）
２２  メモリ
１０１  ホームネットワーク
１０２  フォーリンネットワーク
１０３  ホームゲートウェイ
１０８  携帯端末
１０９  プロジェクタ（コンテンツ再生機器）
１１０  液晶ＴＶ（コンテンツ再生機器）
１１１  ＰＣ（コンテンツ再生機器）
１１２  ＤＬＮＡプリンタ（コンテンツ再生機器）
１１３  液晶ＴＶ（コンテンツ再生機器）
【発明を実施するための最良の形態】
【００２５】
本発明の実施形態について、図１〜図９を参照して以下に説明する。【００２６】
（システム構成概要）
まず、本実施形態に係るコンテンツ配信システムについて、図２に基づいて説明する。図２は、本実施形態に係るコンテンツ配信システムの構成を示す図である。この図に示すように、コンテンツ配信システムは、概略的に、ユーザの自宅内に構成されているホームネットワーク（以下、ＨＮＷと略記する）１０１と、ユーザの自宅の外部にあるフォーリンネットワーク（以下、ＦＮＷと略記する）１０２とを含んでいる。【００２７】
ＨＮＷ１０１には、ＨＮＷ１０１内の機器を管理するホームゲートウェイ（ＨＧＷ）１０３が配置されている。一方、ＦＮＷ１０２には、ＦＮＷ１０２内の機器を管理するフォーリンゲートウェイ（ＦＧＷ）１が配置されている。【００２８】
ＨＮＷ１０１とＦＮＷ１０２とは、便宜上、区別して記述している。しかし、両者の役割は入れ替わる場合もある。そのため、ＨＧＷ１０３がＦＧＷ１の機能を兼ね、かつ、ＦＮＷ１０２もＨＧＷ１０３の機能を兼ねていることが、好ましい。さらに、ＨＮＷ１０１がＦＮＷ１０２の機能を兼ね、かつ、ＦＮＷ１０２がＨＮＷ１０１の機能を兼ねていることが好ましい。【００２９】
（ＨＮＷ１０１の構成）
ＨＮＷ１０１内には、ＰＣ（Ｐｅｒｓｏｎａｌ  Ｃｏｍｐｕｔｅｒ）１０４、ドアフォン１０５、ＩＰ電話１０６、およびＰＶＲ（Ｐｅｒｓｏｎａｌ  Ｖｉｄｅｏ  Ｒｅｃｏｒｄｅｒ）１０７が配置されている（図２）。以下に、これらの各機器について、以下に簡潔に説明する。【００３０】
ＰＣ１０４は、ＤＭＳとしての機能を備えており、音楽および映画など各種のコンテンツを格納している。ＰＣ１０４は、ＮＦＳ（Ｎｅｔｗｏｒｋ  Ｆｉｌｅ  Ｓｙｓｔｅｍ）にも対応しており、Ｗｉｎｄｏｗｓ（登録商標）ネットワークの共有フォルダを利用することもできる。さらに、ＰＣ１０４は、多くのプロトコルを利用する各種ソフトウェアを搭載しているほか、ＤＬＮＡおよびＵＰｎＰ（Ｕｎｉｖｅｒｓａｌ  Ｐｌｕｇ  ａｎｄ  Ｐｌａｙ）にも対応している。【００３１】
ドアフォン１０５は、メッセージサーバ機能を備えており、訪問してきた人の音声メッセージおよび映像を記録し、音声データおよび映像データをコンテンツとして格納している。【００３２】
ＩＰ電話１０６は、留守番電話機能を備えており、電話をかけてきた相手からの音声メッセージを録音し、音声データをコンテンツとして格納している。【００３３】
ＰＶＲ１０７は、ＤＭＳとしての機能を備えており、テレビ番組などを録画し、録画データをコンテンツとして格納している。【００３４】
（ＦＮＷ１０２の構成）
ＦＮＷ１０２には、ＦＧＷ１が配置されている。ＦＧＷ１の構成について、図１を参照して以下に説明する。図１は、ＦＧＷ１の構成を示す図である。この図に示すように、ＦＧＷ１は、コンテンツ取得部１０、リクエスト処理部１２（入力手段、選択手段、コンテンツ再生要求受信手段）、配信先特定部１４（特定手段、判定手段）、配信先情報取得部１６、コンテンツ変換部１８（変換手段）、コンテンツ配信部２０（配信手段）、およびメモリ２２を備えている。これらの部材がどのような機能を有するのかについては、後述する。【００３５】
さらに、ＦＮＷ１０２内には、コンテンツを再生できる機器（コンテンツ再生機器）として、プロジェクタ１０９、液晶ＴＶ１１０、ＰＣ１１１、ＤＬＮＡプリンタ１１２、および液晶ＴＶ１１３が配置されている。これらの機器は、ＦＧＷ１が取得した動画および静止画など各種のコンテンツを再生する。たとえば、映像および音声を再生したり、あるいは、オフィスドキュメントを表示したりする。【００３６】
図２の例では、液晶ＴＶ１１３は、ＦＮＷ１０２には接続されていない。しかし、ＦＧＷ１が取得したコンテンツを、液晶ＴＶ１１３が再生することも可能である。その場合、ＦＧＷ１が取得したコンテンツをＳＤカード１１４に記憶し、ＳＤカード１１４を液晶ＴＶ１１３に挿入する。こうして液晶ＴＶ１１３は、ＳＤカード１１４内のコンテンツを再生する。【００３７】
（ＨＧＷ１０３）
ＨＧＷ１０３は、ＨＮＷ１０１内の各種の機器から、ＨＮＷ１０１の外部に公開可能なコンテンツの情報を取得する。これにより、公開可能なコンテンツのリストを作成しておく。このリストについては、後述する。【００３８】
（携帯端末１０８）
携帯端末１０８は、赤外線通信またはＢｌｕｅｔｏｏｔｈ（登録商標）を用いた近距離無線通信によって、ＨＧＷ１０３と通信する。なお、携帯電話網からインターネットを介して通信する構成であってもよいし、無線ＬＡＮによってＨＮＷ１０１に接続して通信する構成であってもよい。【００３９】
（ＦＧＷ１とＨＧＷ１０３との通信経路の確立）
以下に、ＨＮＷ１０１が構築されている自宅に住むユーザが、携帯端末１０８を持って、ＦＮＷ１０２が構築されている知人の家に移動し、ＦＧＷ１の管理下にある機器を通じて、ＨＮＷ１０１に属するＤＭＳに蓄積されているコンテンツを視聴する例を説明する。【００４０】
事前に、携帯端末１０８は、ユーザの操作に応じて、ＨＧＷ１０３にアクセスする場合に必要となるアクセス許可情報を、ＨＧＷ１０３から取得している。ここでいうアクセス許可情報には、ＨＧＷ１０３の機能を利用するためにアクセス先として指定する通信アドレスのほか、ユーザＩＤおよび認証パスワード、もしくは端末識別のための電子証明書が含まれる。ユーザは、アクセス許可情報を保持した携帯端末１０８を携帯することによって、出先から自宅ネットワークのＨＮＷ１０１へアクセスできる。【００４１】
携帯端末１０８は、ユーザの操作に応じて、ＨＧＷ１０３へのアクセス許可情報をＦＧＷ１送信する。ＦＧＷ１は、受信したアクセス許可情報をＨＧＷ１０３に提示する。正常なアクセス許可情報が提示されたことを確認した場合、ＨＧＷ１０３は、ＨＧＷ１０３へのアクセスをＦＧＷ１に許可する。アクセスが許可されると、ＦＧＷ１は、ＨＮＷ１０１内のコンテンツ、およびコンテンツに関する情報を、ＨＧＷ１０３から取得できるようになる。【００４２】
本実施の形態では、ＨＧＷ１０３とＦＧＷ１との間に、ＶＰＮ（Ｖｉｒｔｕａｌ  Ｐｒｉｖａｔｅ  Ｎｅｔｗｏｒｋ）を確立する。これにより、ＨＧＷ１０３とＦＧＷ１との通信におけるセキュリティを確保する。したがって、ＦＧＷ１は、暗号化に必要な鍵などの情報も、アクセス許可情報としてＨＧＷ１０３に送信する。【００４３】
ＶＰＮは、仮想的なプライベートネットワークを構築する技術である。セキュアな通信路を確立したうえで、暗号化したデータを通信する。ＶＰＮには、ＩＰＳｅｃおよびＳＳＬ  ＶＰＮなど、既に確立された技術が数多く存在している。ＦＧＷ１は、どのようなＶＰＮ技術であっても用いることができる。ＶＰＮを確立した後、ＦＧＷ１は、ユーザＩＤおよびパスワードを用いて、ＨＧＷ１０３へのリモートアクセス機能にログインする。【００４４】
ＨＧＷ１０３において、アクセス許可情報は、ユーザごとに用意されている。すなわちＨＧＷ１０３には、アクセス許可情報に対応づけて、ユーザごとに、外部からＨＮＷ１０１内のコンテンツにアクセスできる範囲が設定されている。これにより、ＨＮＷ１０１内のコンテンツに対するアクセス制限の度合いを、ユーザごとに異ならせることができる。【００４５】
（コンテンツリストの取得）
ＦＧＷ１とＨＧＷ１０３との間で通信接続が確立すると、ＦＧＷ１は、ＨＧＷ１０３に対して、ログインしたユーザに対して公開される、ＨＮＷ１０１上のコンテンツの一覧であるコンテンツリストを要求する。【００４６】
ＨＧＷ１０３はＨＴＴＰサーバを搭載している。そこでＦＧＷ１は、ＨＴＴＰリクエスト（コンテンツ再生要求）を発行して、ＨＧＷ１０３にコンテンツリストを要求する。コンテンツリスト取得のためのＵＲＬ情報は、アクセス許可情報に含まれている。ＦＧＷ１からコンテンツリストを要求されると、ＨＧＷ１０３は、公開対象のコンテンツ、すなわち、ログインしたユーザによるアクセスが許可されている範囲のコンテンツのリストを、ＦＧＷ１に返信する。コンテンツリストの一例を図３に示す。図３は、コンテンツリストの一例を示す図である。この図の例では、コンテンツリストは、携帯端末１０８からのアクセスが許可されているコンテンツのタイトルと、そのコンテンツをＨＧＷ１０３が提供するＵＲＬの組をまとめたものである。リストのデータ構造の例を、図４に示す。図４は、コンテンツリストのデータ構造を示す図である。この図の例では、映画タイトル１、映画タイトル２、音楽タイトル３、文書タイトル４のコンテンツと、各コンテンツをＦＧＷ１が取得するためのＵＲＬとが、互いに関連付けられている。本実施形態では、ＨＧＷ１０３は、この図に示す構造のコンテンツリストをＦＧＷ１に提供する。【００４７】
ＦＧＷ１は、ＨＧＷ１０３から取得したコンテンツリストを、携帯端末１０８に赤外線通信によって送信する。もし携帯端末１０８が、赤外線の送信機能しか備えていないなら、ＦＧＷ１は、コンテンツリストを添付した電子メールを、携帯端末１０８に送信してもよい。いずれにせよ、携帯端末１０８は、何らかの方法によって、ＦＧＷ１からコンテンツリストを取得する。携帯端末１０８は、ＦＧＷ１から取得したコンテンツリストをユーザに提示する（図５）。図５は、コンテンツリストをユーザに提示している携帯端末１０８を示す図である。この図の例では、携帯端末１０８は、図４に示すデータに含まれるタイトルを一覧にして、コンテンツリストとして表示している。【００４８】
つぎに、ＦＧＷ１が、コンテンツの配信リクエストを受信してから、指定されたコンテンツを配信するまでの処理の流れを、図６を参照して以下に説明する。図６は、本実施形態におけるコンテンツ配信処理の流れを示すフローチャートである。【００４９】
（リクエスト情報の送信）
まず、ユーザは、携帯端末１０８を操作して、配信を希望するコンテンツを、携帯端末１０８の画面に表示されたコンテンツリストの中から選択する。携帯端末１０８は、選択されたコンテンツの配信を希望するリクエスト情報を、ＦＧＷ１に送信する。具体的には、配信を希望するコンテンツを特定する情報を、コンテンツ配信リクエスト情報として送信する。以下では、ユーザが選択したコンテンツを、コンテンツＷとして記載する。【００５０】
なお、ＦＧＷ１は、コンテンツ配信リクエスト情報を受信するときにも、ユーザおよび携帯端末１０８を識別するための認証処理を行う。【００５１】
携帯端末１０８が送信したコンテンツ配信リクエスト情報を、ＦＧＷ１において、リクエスト処理部１２が受信する（Ｓ３０）。リクエスト処理部１２は、受信したコンテンツ配信リクエスト情報を、コンテンツ取得部１０に出力する。コンテンツ取得部１０は、入力されたコンテンツ配信リクエスト情報に参照して、コンテンツＷを特定する。これにより、コンテンツＷについての情報（コンテンツ情報）を、ＨＧＷ１０３に要求する。そして、ＨＧＷ１０３から提供されたコンテンツ情報を取得する（Ｓ３１）。【００５２】
（コンテンツ情報の取得）
ＨＧＷ１０３は、外部に配信するコンテンツごとに、コンテンツに関する情報をメモリに保持している。また、このような情報を、ＨＮＷ１０１内の各機器からあらかじめ取得している。ＨＧＷ１０３は、コンテンツ取得部１０から要求された、コンテンツＷについてのコンテンツ情報を、ＦＧＷ１に送信する。送信されたコンテンツ情報を、コンテンツ取得部１０が受信する。以上の処理によって、コンテンツ取得部１０は、コンテンツＷについての情報を取得する。【００５３】
コンテンツ情報とは、コンテンツそのもののメタ情報、ビデオ・音楽・オフィスファイルなどのコンテンツの種類を特定する情報、実装しているアプリケーション（プレーヤ）に対応するコーデックおよびデータフォーマット、利用可能なパラメータおよびデータサイズなどの、コンテンツの属性を表す情報のことである。さらに、ＨＧＷ１０３がＦＧＷ１にコンテンツを送信するときに利用可能な配信方法（通信プロトコルなど）を特定する情報も含まれる。コンテンツ情報の一例を、図７に示す。図７は、コンテンツ情報の一例を示す説明図である。【００５４】
なお、ＨＧＷ１０３は、ＤＬＮＡをはじめとした、ネットワーク家電機器が用いる多くの通信プロトコルに対応している。そのため、コンテンツ情報として、これらの通信プロトコルに関する情報を、ＦＧＷ１に送信する。【００５５】
さらに、ＨＧＷ１０３は、ＨＮＷ１０１内のコンテンツをＦＧＷ１に提供する前に、必要に応じて、コーデック変換を含むデータ変換、および、通信方法を変換することができる。【００５６】
コンテンツのフォーマットまたはプロトコルを変換すれば、同じコンテンツをＦＧＷ１に対して複数のフォーマットまたは通信方法によって提供できるなら、ＨＧＷ１０３は、それらの情報もコンテンツ情報としてＦＧＷ１に提供する。【００５７】
（機器情報）
配信先特定部１４は、ＦＮＷ１０２内の複数の機器のうち、コンテンツＷを再生できる機器を特定する。このとき配信先特定部１４は、コンテンツＷのコンテンツ情報と、ＦＮＷ１０２内の各機器についての情報（機器情報）とを用いる。機器情報の一例を図８に示す。図８は、機器情報の一例を示す図である。この図の例では、機器情報は、機器名、機器の設置場所、機器特性、対応プロトコル、対応データフォーマットの各情報を、機器ごとに一覧にした情報である。【００５８】
ＦＧＷ１において、配信先情報取得部１６が、ＦＮＷ１０２内の各機器から当該機器の機器情報を、個別に取得する。たとえばプロジェクタ１０９からはプロジェクタ１０９に関する機器情報を取得し、液晶ＴＶ１１０からは液晶ＴＶ１１０に関する機器情報を取得する。配信先情報取得部１６は、取得した情報をメモリ２２に記憶する。【００５９】
機器情報とは、各機器が再生できるコンテンツの種類、データのフォーマット、当該コンテンツを再生する場合に利用可能な配信方法（通信プロトコル）などを特定する情報である。【００６０】
（コンテンツを再生できる機器の特定）
ＦＧＷ１において、配信先特定部１４は、コンテンツ取得部１０からコンテンツ情報を取得し、メモリ２２から機器情報を取得する（Ｓ３２）。これにより配信先特定部１４は、コンテンツ情報および機器情報を用いることによって、コンテンツＷを再生できる機器を特定する。このとき、特定した機器に関する情報である、機器選択リスト情報を生成する。【００６１】
（フォーマット情報に基づく特定）
配信先特定部１４は、たとえば、コンテンツ情報に含まれるフォーマット情報と、プロジェクタ１０９の機器情報に含まれるフォーマット情報とを比較する。両者が一致する場合には、プロジェクタ１０９をコンテンツＷを再生できる機器として特定する。そこで、機器選択リスト情報に、プロジェクタ１０９を特定する情報（名称など）を追加する。【００６２】
なお、ＦＧＷ１のコンテンツ変換部１８は、コンテンツを、各種の異なるフォーマットのデータに変化できる。たとえば、ＭＰＥＧ２をＭＰＥＧ４に変化できるし、また、Ｈ．２６４をＭＰＥＧ２に変化できる。どのフォーマットのコンテンツを、異なるどのフォーマットに変換できるのかについて、ＦＧＷ１のメモリ２２に、対応表があらかじめ記憶されている。コンテンツ変換部１８は、この対応表に基づき、コンテンツの変換方法を選択する。【００６３】
配信先特定部１４は、コンテンツ情報内のフォーマット情報と、機器情報内のフォーマット情報とが互いに異なっていても、フォーマットを変換すれば再生は可能だと判定した場合は、当該機器がコンテンツＷを再生できる機器として特定する。この場合、機器選択リスト情報には、機器を特定する情報に加えて、変換に関する情報、たとえば、変換前のフォーマットおよび変換後のフォーマットを特定する情報（フォーマット名など）を、追加する。【００６４】
（配信方法情報に基づく特定）
また、配信先特定部１４は、コンテンツ情報に含まれる配信方法情報と、機器情報に含まれる配信方法情報とを比較する。両者が一致するとき、たとえばコンテンツ情報および機器情報に、それぞれ、配信方法情報として「ストリーミング方式」とのテキストが含まれているとき、当該機器をコンテンツＷを再生できる機器であると特定する。そこで、この機器に関する情報を、機器選択リスト情報に追加する。【００６５】
なお、携帯端末１０８は、配信方法情報が互いに異なっていても、配信方法を変更すれば（たとえばストリーミング方式をダウンロード方式に変換すれば）再生できる場合には、コンテンツＷを再生できると判断する。この場合、配信方法の変更が必要であることを示す情報、および、どのような変更が行われるかを示す情報（たとえば、変更前後の配信方法）など、配信方法に関する情報を、機器選択リスト情報に追加する。【００６６】
（通信速度の特定）
つぎに、コンテンツ取得部１０が、ＨＧＷ１０３との通信速度を測定する（Ｓ３３）。このとき、コンテンツの再生前に、コンテンツＷの取得を開始し、計測とあわせてバッファリングを行っておくことによって、実際にコンテンツＷの視聴を開始するときのタイムラグを小さくすることもできる。【００６７】
コンテンツ取得部１０は、測定した通信速度を、配信先特定部１４に伝える。配信先特定部１４は、コンテンツＷを再生できる機器を特定するとき、この通信速度についての情報を利用することができる。【００６８】
たとえば液晶ＴＶ１１０の機器情報に、ＭＰＥＧ２のコンテンツをリアルタイムで再生できること、および、ＭＰＥＧ４のコンテンツも再生できることが、定義されているとする。このとき配信先特定部１４は、通信速度の情報に基づき、現在の通信速度が、ＭＰＥＧ２でのリアルタイム視聴には不十分だが、圧縮率の高いＭＰＥＧ４なら問題ないと判定したとき、液晶ＴＶ１１０を、ＭＰＥＧ４変換後のコンテンツなら再生できる機器だと特定する。そこで、液晶ＴＶ１１０に関する情報、および、この変換に関する情報を、機器選択リスト情報に追加する。【００６９】
一方、ＭＰＥＧ４に変換しても再生はできない通信速度だと判定した場合、液晶ＴＶ１１０を、コンテンツを再生できない機器だと特定する。そのため、液晶ＴＶ１１０を特定する情報を、機器選択リスト情報に追加しない。【００７０】
（見え方が変わる状態にコンテンツを変換）
また、コンテンツ変換部１８は、コンテンツを、元の状態から大きく見え方が変わる状態に変換できる。たとえば、コンテンツのフレームサイズおよびフレームレートを変換できる。さらに、コンテンツの画面サイズを相互に異なるもの、たとえば４：３と１６：９とに相互に変換できる。【００７１】
（利用が大きく制限される形式への変換）
また、コンテンツ変換部１８は、ある一定のコンテンツを、利用が大きく制限される他のフォーマットのもの変換することができる。たとえば、編集可能なワードプロセッサファイルおよび表計算ファイルなどのファイルを、閲覧のみが可能なＪＰＥＧファイルに変換できる。【００７２】
なお、配信先特定部１４は、音声および映像を含むコンテンツを、音声および映像のいずれか一方を削除した状態に変換すれば、うまく再生できる機器についても、コンテンツを再生できる機器として特定する。【００７３】
（場所に応じてコンテンツの優先順位を決定）
ユーザは、携帯端末１０８を操作してコンテンツＷの配信を求めるとき、あわせて、ユーザの居る部屋番号を携帯端末１０８に入力してもよい。携帯端末１０８は、入力された部屋番号をＦＧＷ１に送信する。配信先特定部１４は、ユーザが携帯端末１０８に入力した部屋番号情報と、機器情報に含まれる部屋番号情報とを照らし合わせる。そして、コンテンツ情報と機器情報とを比較した結果、コンテンツＷを再生できるとして特定した機器について、部屋番号が一致するものを、より優先的にユーザに提示する機器として特定する。【００７４】
（優先順位の決定）
以上のように、配信先特定部１４は、コンテンツ情報および機器情報に基づき、様々な観点から、コンテンツＷを再生できる機器を特定する（Ｓ３４）。そのため、場合によっては、複数の機器について、コンテンツＷを再生できると特定することもある。このようとき、配信先特定部１４は、一定のルールにしたがって、特定した機器をユーザに提示するときの優先順位を、機器ごとに決定する（Ｓ３５）。【００７５】
この優先順位について、図９を参照して以下に説明する。図９は、コンテンツＷを再生できる機器を提示する優先順位のルールを示す図である。【００７６】
図９に示すように、配信先特定部１４は、コンテンツＷをそのまま配信すれば再生できる機器を、もっともの優先順位の高いものとする。つぎに、コンテンツＷの品質を変えることなく、フォーマットおよび通信方法の少なくともいずれかを変換すれば再生できる機器を、２番目の優先順位にする。つぎに、データ変換が必要な機器のうち、同一のパラメータによるコーデックのみ変換が必要なものを、３番目の優先順位とする。つぎに、データ変換が必要なもののうち、フレームサイズおよびフレームレートの少なくともいずれかの変更が必要なものを、４番目の優先順位とする。次のデータ変換が必要なもののうち、元の状態から大きく利用が制限されるものを、５番目の優先順位とする。最後に、もしまったく条件が同じ機器があるなら、ユーザが指定した部屋番号の部屋にある機器に、より上位の優先順位を設定する。【００７７】
配信先特定部１４は、図９のルールにしたがい、最終的に、優先順位に関する情報を含む機器選択リスト情報を生成する。【００７８】
（コンテンツの配信先を選択）
ＦＧＷ１において、配信先特定部１４は、生成した機器選択リスト情報を、リクエスト処理部１２に出力する。リクエスト処理部１２は、入力された機器選択リスト情報を、携帯端末１０８に送信する（Ｓ３６）。携帯端末１０８は、機器選択リストに含まれる機器を、画面に一覧表示する。このとき配信先特定部１４は、機器選択リストに定義された優先順位にしたがって、機器の名称に順位を付けて表示する。また配信先特定部１４は、機器の名称と共に、各機器がコンテンツＷを再生するとき、フォーマットおよび配信方法の少なくともいずれかの変更が必要か否かについての情報を表示する。これによりユーザは、どの機器を選択すれば、どのような変換がなされたあとのコンテンツを再生できるのかを、事前に知ることができる。【００７９】
ユーザは、携帯端末１０８において表示される複数の機器の中から、コンテンツＷを再生させたい機器を１つ選択する。これにより携帯端末１０８は、ユーザが選択した機器にコンテンツＷの配信を求める機器選択リクエスト情報を生成し、ＦＧＷ１に送信する。具体的には、機器選択リクエスト情報には、配信対象の機器を特定する情報、コンテンツＷの変換方法および通信方法についての情報が、それぞれ含まれている。【００８０】
なお、機器選択リスト情報には、ユーザが気づいていない機器が含まれていることもある。これにより、ユーザにとってはコンテンツＷを再生させる機器の選択範囲が広がる。【００８１】
（コンテンツの配信処理）
ＦＧＷ１において、リクエスト処理部１２が、携帯端末１０８から送信された機器選択リクエスト情報を受信する（Ｓ３７）。リクエスト処理部１２は、受信した機器選択リクエスト情報を、コンテンツ取得部１０、コンテンツ変換部１８、およびコンテンツ配信部２０に出力する。【００８２】
コンテンツ取得部１０は、入力された機器選択リクエスト情報を参照することによって、コンテンツＷを取得する際の通信方法を特定する。これにより、特定した通信方法によって、コンテンツＷをＨＧＷ１０３から取得する（Ｓ３８）。【００８３】
コンテンツ取得部１０は、取得したコンテンツＷをコンテンツ変換部１８に出力する。コンテンツ変換部１８は、機器選択リクエスト情報を参照して、入力されたコンテンツＷの変換が必要かどうかを判定する。必要だと判定したとき、コンテンツＷのフォーマットを、機器選択リクエスト情報に定義されている、変換後のフォーマットに変換してから、コンテンツ配信部２０に出力する（Ｓ３９）。一方、変換する必要が無いと判定したときには、入力されたコンテンツＷをそのままコンテンツ配信部２０に出力する。【００８４】
コンテンツ配信部２０は、入力されたコンテンツＷを、機器選択リクエスト情報に定義されている配信先の機器に配信する（Ｓ４０）。【００８５】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。【００８６】
たとえば配信先特定部１４は、ＦＧＷ１の管理下にある複数の機器のうち、あらかじめユーザが利用可能な機器のみを、コンテンツの再生対象の機器として特定する。すなわち、携帯端末１０８、ユーザ、ユーザの位置（部屋番号）を用いた制限、および各機器の利用状況に基づき、利用できない機器をリストアップしないようにしてもよい。具体的には、電源が入ってない機器については、仮に機器情報にコンテンツＷが再生できることが定義されていても、ユーザが利用できないので、コンテンツＷを再生できる機器として特定しない。【００８７】
また、たとえば、機器情報に、ユーザが機器を利用できるかどうかの情報が含まれていてもよい。この場合、たとえば、ホテルにおいて所定の利用料金を払えば利用可能になる機器については、料金を払えば、利用できるようになる。【００８８】
また、機器情報には、コンテンツ再生機器が再生できるコンテンツ（メディア）の種類を表す情報が含まれていてもよい。この種の情報として、静止画、動画、または音楽のいずれかを表す情報がある。また、機器情報には、コンテンツ再生機器が処理できるデータの種類を表す情報が含まれていてもよい。この種の情報として、コンテンツのコーデックを表す情報、およびフォーマットを表す情報などがある。【００８９】
また、機器情報には、コンテンツのプロトコルを表す情報が含まれていてもよい。この種の情報として、コンテンツ配信のためのプロトコルを表す情報、および、コンテンツ再生機器がコンテンツを再生する際に対応しているプロトコルを表す情報、および当該プロトコルに定義されたプロファイルを表す情報などがある。【００９０】
また、機器情報には、コンテンツ再生機器の性能（スペック）を表す情報が含まれていてもよい。この種の情報として、コンテンツ再生機器における画面のサイズを表す情報、コンテンツ再生機器における画角（表示可能なフレームサイズ）を表す情報、および、コンテンツ再生機器が対応している音声出力（モノラル、ステレオ、５．１ｃｈサラウンドなど）を表す情報などがある。【００９１】
また、機器情報には、コンテンツ再生機器の設定を表す情報が含まれていてもよい。この種の情報として、コンテンツ再生機器が配置された場所を表す情報（部屋名、フロア、設置状態など）がある。さらに、コンテンツ再生機器の現在の状況（使用中か否か）を表す情報がある。さらに、コンテンツ再生機器の利用条件（利用可能か否か、利用申し込みの要否、利用料の有無・料金など）を表す情報がある。【００９２】
コンテンツ配信装置は、再生可能なコンテンツ再生機器の候補をユーザに提示する際に、コンテンツを再生する際の条件を合わせて表示してもよい。このとき、同じコンテンツを再生できるコンテンツ再生機器が複数あったとしても、コンテンツを再生する際の条件が異なる場合は、それぞれを別の候補として別々にユーザに提示する。【００９３】
コンテンツ配信装置は、コンテンツを再生する際の条件として、次のものを表示でき、決定した再生機器とともに、決定に利用した情報をユーザに対して表示する；
・コンテンツを変換する必要があるか否か
・コンテンツを変換する際のパラメータ（コーデック種類、エンコードピットレート、パラメータエンコードピットレート）
・コンテンツの再生方法（ストリーミングまたはダウンロード）
・コンテンツ再生時の状況（バッファリング量およびダウンロード時間などから、再生開始すなわち視聴開始までに待たなければならないと予測される時間）
・コンテンツ再生機器を現在利用可能か否か（他の人が使用中の場合は使えないと表示される）
・コンテンツ再生機器の設置場所（共有の場所か、ユーザから近いかまたは遠いか、ユーザがいる位置と同じフロアか、または違うフロアか）
・コンテンツ再生機器の利用条件（ユーザ自身が利用可能か否か、申込が必要か否か、使用料）。【００９４】
なお、別の形態として、携帯電話などの装置に上記の情報を送信してもよい。当該携帯電話は、再生機器の選択を促す画面を表示することによって、ユーザに選択可能な再生機器をユーザに提示可能なものである。【００９５】
（テレビがＦＧＷ１を内蔵する例）
以下に、本発明に係る他の形態のコンテンツ配信システムについて、説明する。【００９６】
図１０は、本発明に係る他の形態のコンテンツ配信システムを示すブロック図である。この図に示すコンテンツ配信システムは、ネットワークテレビＡ、ネットワークテレビＢ、プロジェクタＡ、プロジェクタＢ、プロジェクタＢ接続ＰＣ、および視聴機器予約管理サービスＰＣを備えている。【００９７】
このコンテンツ配信システムでは、一つのＬＡＮ（ローカルエリアネットワーク）内に、複数のコンテンツ再生機器がある。ネットワークテレビＡは、ＦＧＷ１の機能を内蔵している。ネットワークテレビＢは、ＨＤＤ（ハードディスクドライブ）を内蔵し、テレビコンテンツを蓄積して再生可能である。【００９８】
プロジェクタＡおよびプロジェクタＢは、いずれも、シネマスコープサイズに対応している。すなわち、テレビにない画角に対応する再生機能を有している。プロジェクタＡは現在使用中ではなく、プロジェクタＢは現在使用中である。【００９９】
ユーザの目の前には、ネットワークテレビＡがある。ユーザは、携帯電話を使ってコンテンツの視聴（再生）をリクエストする。視聴リクエストには、コンテンツのＩＤ（ＵＲＬ）が含まれる。ＦＧＷ１を介して自宅のＤＬＮＡサーバにあるコンテンツにアクセスするためのキーとなるパスワードも、携帯電話から送信する。ネットワークテレビＡは、よりよいコンテンツ再生機器があれば、それをユーザに教えてくれる。具体的には、ネットワークテレビＡは図１１に示すメッセージを表示する。図１１は、ネットワークテレビＡがメッセージを表示している様子を示す図である。【０１００】
なお、ネットワークテレビＡは、ストリーミングが困難な通信状態の場合、図１２に示すメッセージを表示する。図１２は、ネットワークテレビＡがメッセージを表示している様子を示す図である。【０１０１】
ユーザは、お勧めされたコンテンツ再生機器を、携帯電話を使って予約できる。携帯電話は、使用予約リクエストをネットワークテレビＡに送る。【０１０２】
ユーザがコンテンツ再生機器の利用を申し込むと、予約に関する情報がＦＧＷ１が管理する予約管理票（データベース）に書きこまれる。この管理票は、ＦＧＷ１がアクセスできる他の装置にあってもよい。具体的には、ユーザがプロジェクタＡの使用を申し込むと、申し込まれたプロジェクタＡの予約情報を、視聴機器予約管理サービスＰＣが予約管理票に書き込む。【０１０３】
図１３は、予約管理票の一例を示す図である。ネットワークテレビＡは、予約管理票に予約を登録することによって、課金処理も可能になる。具体的には、１コマ（１時間）予約すると、１００円課金する。コンテンツ再生機器を予約すると、ＦＧＷ１（ネットワークテレビＡ）にワンタイムパスワードが送信され、ディスプレイに一瞬表示される。パスワードは携帯電話に転送されてもよい。このパスワードを使わないと、ＦＧＷ１経由でコンテンツデータが転送されないため、コンテンツを視聴できない。【０１０４】
なお、コンテンツ配信システムでは、コンテンツ再生機器の選択に関するメッセージを、ネットワークテレビＡの代わりに、携帯電話が表示してもよい。図１４は、携帯電話がメッセージを表示している様子を示す図である。図１４のコンテンツ配信システムは、ＦＧＷ１の機能を内蔵したＳＴＢ（セットトップボックス）を備えている。ＳＴＢは、ネットワークテレビＡとＨＤＭＩ接続されている。このＳＴＢが上記メッセージを携帯電話に送り、携帯電話に表示させる。【０１０５】
図１５は、図１０に示した構成例のコンテンツ配信システムにおける処理の流れを示すシーケンス図である。【０１０６】
この図に示すように、携帯電話が、コンテンツリストのリクエストをネットワークテレビＡ（ＦＧＷ１を搭載）に送信する。ネットワークテレビＡは、受信したリクエストをインターネットを通じて、ＨＧＷ１０３に送信する。ＨＧＷ１０３は、コンテンツリストをＦＧＷ１に送信する。ＦＧＷ１は、受信したコンテンツリストを携帯電話に送信する。【０１０７】
携帯電話は、コンテンツ指定視聴リクエストをネットワークテレビＡに送信する。ネットワークテレビＡは、視聴機器予約情報取得リクエストを視聴機器予約管理サーバ（サービスＰＣ）に送信する。ネットワークテレビＡは、コンテンツ情報取得要求をＨＧＷ１０３に送信する。【０１０８】
ネットワークテレビＡは、コンテンツ情報、通信速度、視聴機器の能力（取得済み）、視聴機器予約状況から、視聴機器（コンテンツ再生機器）のお薦め度を決定する。携帯電話は、ＦＧＷ搭載ＴＶ以外にお薦めの視聴装置があれば、情報を受信してユーザに表示して通知する。携帯電話は、お薦めを含めて、視聴機器を選択指定する。【０１０９】
携帯電話は、コンテンツ再生機器の利用予約申請を視聴機器予約管理サーバ（サービスＰＣ）に送信する。視聴機器予約管理サーバは、コンテンツ再生機器の利用予約を登録する。ネットワークテレビＡは、利用予約の登録が完了したら、パスワードを生成して表示する。ユーザは、目視したパスワードを携帯電話に入力して、視聴開始をリクエストする。ネットワークテレビＡは、パスワードの確認後、コンテンツデータの取得をＨＧＷ１０３に要求する。コンテンツサーバは、要求されたコンテンツデータをネットワークテレビＡに送信する。ネットワークテレビＡは、ユーザによって選択されたコンテンツ再生機器に、コンテンツデータを送信する。【０１１０】
なお、視聴機器利用予約管理サーバは、ＦＧＷ１が搭載されているネットワークテレビＡの内部にあってもよい。また、コンテンツリストは、携帯電話から直接インターネット経由で自宅のＨＧＷ１０３に直接アクセスして取得してもよい。【０１１１】
（他の構成）
なお、本発明を、以下のように表現することも可能である。【０１１２】
（第１の構成）
コンテンツ利用のためのリクエストを処理するリクエスト処理部と、リクエストで指定のコンテンツを利用可能な装置をリストアップするコンテンツ利用装置選択部と、コンテンツ利用装置選択部が選択する各装置でコンテンツが利用可能なデータに変換するコンテンツ変換方法決定部と、コンテンツ利用装置決定部が選択する各装置へコンテンツを受け渡す手段を決定するコンテンツ送信方法決定部と、コンテンツ利用装置選択部、コンテンツ変換方法決定部、コンテンツ送信方法決定部が決定した情報から実際にコンテンツを利用する装置と変換方法、もしくは送信方法、またはその両方を決定するコンテンツ利用方法決定部と、リクエストが指定のコンテンツデータを取得するコンテンツ取得部と、コンテンツ取得部が取得したコンテンツデータをコンテンツ利用方法決定部が決定した変換方法で変換するコンテンツ変換部、コンテンツ変換部が変換したコンテンツデータをコンテンツ利用方法決定部が決定した送信方法で出力するコンテンツ送信部を備えるコンテンツ中継装置。【０１１３】
（第２の構成）
コンテンツ利用のためのリクエスト送信元にコンテンツを利用する装置と変換方法、送信方法に関する情報を応答するコンテンツ利用方法提示部を備え、コンテンツ利用方法決定部はコンテンツ利用方法提示部が応答した情報のなかから、コンテンツ利用方法を指定するリクエストによって指定された装置、変換方法、送信方法を用いることに決定する第１の構成に記載のコンテンツ中継装置。【０１１４】
（第３の構成）
コンテンツ利用方法提示部は、コンテンツを利用する装置と変換方法、送信方法に関する情報について、評価し、評価順に提示する第２の構成に記載のコンテンツ中継装置。【０１１５】
（第４の構成）
コンテンツ変換方法決定部は、コンテンツ利用装置選択部が選択した各装置のコンテンツ利用の機能から、リクエストで指定のコンテンツを利用可能にするコンテンツデータフォーマットの変換、および送信方法を決定する第１の構成から第３の構成のいずれかに記載のコンテンツ中継装置。【０１１６】
（第５の構成）
コンテンツ利用方法決定手段は、コンテンツ利用のためのリクエスト送信元に対してコンテンツを利用する装置、もしくは各装置とその装置を利用する場合の変換方法、送信方法のうちの少なくとも１つ以上についての情報のリストを優先度付け応答し、それをもとにしたリクエスト元からの指示に従ってコンテンツを利用する装置、変換方法、送信方法を決定する第１の構成から第４の構成のいずれかに記載のコンテンツ中継装置。【０１１７】
（第６の構成）
コンテンツ利用方法決定手段は、機器の利用可否、取得コンテンツ変換の可否、取得プロトコルから送信方法の有無のうちの１つ以上の要素を評価して順位付けを行う第１の構成から第５の構成のいずれかに記載のコンテンツ中継装置。【０１１８】
（第７の構成）
コンテンツ利用方法提示部は、コンテンツを取得の決定時点での通信帯域のもとでコンテンツ利用に不適切なコンテンツデータフォーマットおよび送信方法の少なくともいずれかをユーザには提示せず、変換して可能かどうかを判断することを含む第６の構成に記載のコンテンツ中継装置。【０１１９】
（第８の構成）
コンテンツ利用方法提示部は、機器の利用可否については、リクエスト元の機器、もしくはそのユーザを識別して利用可否の設定、もしくは他機器からの利用中などによる機器の状態、もしくはリクエスト元の機器と機器との位置に基づき、候補からの削除、もしくは順位付けを行う第２の構成から第７の構成のいずれかに記載のコンテンツ中継装置。【０１２０】
（第９の構成）
コンテンツ変換方法決定手段は、コンテンツ取得部に対してコンテンツを提供するサーバが提供可能なフォーマットを問い合わせ、それを元に装置内でのコンテンツ変換方法を決定する第１の構成から第８の構成のいずれかに記載のコンテンツ中継装置。【０１２１】
（プログラムおよび記録媒体）
最後に、ＦＧＷ１に含まれている各ブロックは、ハードウェアロジックによって構成すればよい。または、つぎのように、ＣＰＵ（Ｃｅｎｔｒａｌ  Ｐｒｏｃｅｓｓｉｎｇ  Ｕｎｉｔ）を用いてソフトウェアによって実現してもよい。【０１２２】
すなわちＦＧＷ１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。【０１２３】
この構成により、本発明の目的は、所定の記録媒体によっても達成できる。この記録媒体は、上述した機能を実現するソフトウェアであるＦＧＷ１の制御プログラムのプログラムコード（実行形式プログラム、中間コードプログラム、ソースプログラム）をコンピュータで読み取り可能に記録していればよい。ＦＧＷ１にこの記録媒体を供給する。これにより、コンピュータとしてのＦＧＷ１（またはＣＰＵ、ＭＰＵ）が、供給された記録媒体に記録されているプログラムコードを読み出し、実行すればよい。【０１２４】
プログラムコードをＦＧＷ１に供給する記録媒体は、特定の構造または種類のものに限定されない。すなわちこの記録媒体は、たとえば、磁気テープおよびカセットテープ等のテープ系、フロッピー（登録商標）ディスク／ハードディスク等の磁気ディスクおよびＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。【０１２５】
またＦＧＷ１は、通信ネットワークと接続可能に構成しても、本発明の目的を達成できる。この場合、上記のプログラムコードを、通信ネットワークを介してＦＧＷ１に供給する。この通信ネットワークは、ＦＧＷ１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。【０１２６】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡおよびリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１２７】
また、本発明に係るコンテンツ配信装置では、さらに、
上記特定手段は、
上記コンテンツのフォーマットに対応した上記コンテンツ再生機器を、上記コンテンツを再生できる上記コンテンツ再生機器として特定することが好ましい。【０１２８】
上記の構成によれば、コンテンツ配信装置は、たとえば、コンテンツのフォーマットがＭＰＥＧ２である場合、ＭＰＥＧ２に対応したコンテンツ再生機器を、当該コンテンツを再生できる装置として特定する。したがって、コンテンツを再生できる装置を確実に特定でき、これによって、ユーザが確実にコンテンツを視聴できる装置に、コンテンツを配信できる効果を奏する。【０１２９】
また、本発明に係るコンテンツ配信装置では、さらに、
所定のフォーマットに変換後の上記コンテンツを、上記コンテンツ再生機器が再生できるか否かを判定する判定手段と、
上記取得手段が取得した上記コンテンツを、上記フォーマットのものに変換する変換手段とをさらに備え、
上記特定手段は、
上記判定手段によって、上記所定のフォーマットに変換後の上記コンテンツを再生できると判定された上記コンテンツ再生機器を、上記コンテンツを再生できる上記コンテンツ再生機器として特定し、
上記配信手段は、
上記変換手段によって上記所定のフォーマットのものに変換されたあとの上記コンテンツを、上記コンテンツ再生機器に配信することを特徴とすることが好ましい。【０１３０】
上記の構成によれば、コンテンツ配信装置は、たとえば、コンテンツ再生機器がコンテンツをそのまま再生できない場合でも、当該コンテンツを所定の別のフォーマットのものに変換すれば再生できるのなら、当該コンテンツ再生機器を、当該コンテンツを再生できる機器として特定する。【０１３１】
たとえば、コンテンツ「ａ」がＭＰＥＧ２フォーマットのものであり、コンテンツ再生機器「Ａ」がＭＰＥＧ２は再生できないがＭＰＥＧ４は再生できる機器であるとき、コンテンツ配信装置は、コンテンツ再生機器「Ａ」を、コンテンツ「ａ」を再生できる機器として特定する。このときコンテンツ配信装置は、取得したコンテンツ「ａ」をＭＰＥＧ２のまま配信するのではなく、ＭＰＥＧ４に変換してから配信する。したがってコンテンツ再生機器「Ａ」は、配信されたコンテンツ「ａ」を確実に再生でき、ユーザは、コンテンツ再生機器「Ａ」を通じてコンテンツ「ａ」を視聴できる。【０１３２】
以上のように、本構成のコンテンツ配信装置は、コンテンツの配信先をより増やすことができる効果を奏する。したがって、ユーザにとっては、コンテンツを視聴できる可能性がより高まる。【０１３３】
また、本発明に係るコンテンツ配信装置では、さらに、
上記特定手段は、
上記コンテンツを配信する際の通信プロトコルに対応した上記コンテンツ再生機器を、上記コンテンツを再生できる上記コンテンツ再生機器として特定することが好ましい。【０１３４】
上記の構成によれば、コンテンツ配信装置は、たとえば、コンテンツを配信する際の通信プロトコルがストリーミング方式である場合、ストリーミング方式に対応したコンテンツ再生機器を、当該コンテンツを再生できる装置として特定する。したがって、コンテンツを再生できる装置を確実に特定でき、これによって、ユーザが確実にコンテンツを視聴できる装置に、コンテンツを配信できる効果を奏する。【０１３５】
また、本発明に係るコンテンツ配信装置では、さらに、
規定の配信方法とは異なる他の配信方法によって配信した上記コンテンツを、上記コンテンツ再生機器が再生できるか否かを判定する判定手段をさらに備え、
上記特定手段は、
上記判定手段によって、上記他の配信方法によって配信した上記コンテンツを再生できると判定された上記コンテンツ再生機器を、上記コンテンツを再生できる上記コンテンツ再生機器として特定し、
上記配信手段は、
上記コンテンツを、上記他の配信方法によって上記コンテンツ再生機器に配信することを特徴としている。【０１３６】
上記の構成によれば、コンテンツ配信装置は、たとえば、コンテンツ再生機器がコンテンツをそのまま再生できない場合でも、当該コンテンツを配信する際の配信方法（通信プロトコルなど）を別のものに変換すれば再生できるのなら、当該コンテンツ再生機器を、当該コンテンツを再生できる機器として特定する。【０１３７】
たとえば、コンテンツ「ａ」を配信する際の規定の配信方法がストリーミング方式であり、コンテンツ再生機器「Ａ」がダウンロード方式のコンテンツを受信して再生できるとする。また、コンテンツ配信装置が、コンテンツ「ａ」を配信する際の配信方法を、ストリーミング方式からダウンロード方式に変換できるとする。この場合、コンテンツ配信装置は、コンテンツ再生機器「Ａ」を、コンテンツ「ａ」を再生できる機器として特定する。このときコンテンツ配信装置は、取得したコンテンツ「ａ」をストリーミング方式ではなくダウンロード方式によって、配信する。したがってコンテンツ再生機器「Ａ」は、配信されたコンテンツ「ａ」を確実に再生でき、ユーザは、コンテンツ再生機器「Ａ」を通じてコンテンツ「ａ」を視聴できる。【０１３８】
以上のように、本構成のコンテンツ配信装置は、コンテンツの配信先をより増やすことができる効果を奏する。したがって、ユーザにとっては、コンテンツを視聴できる可能性がより高まる。【０１３９】
また、本発明に係るコンテンツ配信装置では、さらに、
上記特定手段が複数の上記コンテンツ再生機器を特定したとき、これらのうち、どの上記コンテンツ再生機器に上記コンテンツを配信するのかを、ユーザに選択させる選択手段をさらに備え、
上記コンテンツ配信手段は、
上記コンテンツを、上記選択手段を通じて上記ユーザが選択した上記コンテンツ再生機器に配信することを特徴としている。【０１４０】
上記の構成によれば、たとえば特定手段が、コンテンツ「ａ」を再生できるコンテンツ再生機器として、機器Ａ、Ｂ、およびＣを特定したとする。このとき選択手段は、たとえばユーザが保持する端末装置を介して、機器Ａ、Ｂ、およびＣの名称をユーザに提示し、１つを選択させる。ユーザは、コンテンツを再生させたい機器を選択する。これにより、ユーザが選択したコンテンツ再生機器に、ユーザが指定したコンテンツを配信する。たとえばユーザが、機器Ａ、Ｂ、およびＣのうち機器Ａを選択したとき、コンテンツ配信装置は、コンテンツ「ａ」を通信ネットワークを通じて取得し、コンテンツ再生機器「Ａ」に配信する。【０１４１】
したがって、本構成のコンテンツ配信機器は、ユーザにとってもっとも適したコンテンツ再生機器に、コンテンツを配信できる効果を奏する。【０１４２】
また、本発明に係るコンテンツ配信装置では、さらに
上記選択手段は、上記フォーマットに関する情報を、上記ユーザに提示することが好ましい。【０１４３】
上記の構成によれば、ユーザは、コンテンツ視聴のために、どのようなフォーマット変換が必要なのかを、事前に知ることができる。そのため、コンテンツを再生させるコンテンツ配信装置を、フォーマット変換の観点から柔軟に選択できる効果を奏する。たとえば、フォーマット変換が必要なコンテンツ再生機器を複数提示されたとき、変換後のコンテンツの品質がより高いコンテンツ再生機器を選択できる。【０１４４】
また、本発明に係るコンテンツ配信装置では、さらに
上記選択手段は、
上記特定手段によって特定された複数の上記コンテンツ再生機器のうち、上記コンテンツ取得手段が取得したコンテンツをそのまま再生できるコンテンツ再生機器を、上記変換手段が上記フォーマットに変換した上記コンテンツを再生できる上記コンテンツ再生機器よりも優先的に上記ユーザに提示することが好ましい。【０１４５】
上記の構成によれば、コンテンツ配信装置は、同じコンテンツを再生できるコンテンツ再生機器のうち、より品質の高い状態のコンテンツを再生できるものを、ユーザにより優先的に提示する。このとき、複数のコンテンツを画面に一覧表示し、さらに、優先提示するコンテンツを、より画面の上に表示する。また、優先の順位を併記して表示してもよい。ユーザは、以上のように提示されたコンテンツ再生機器の中から、コンテンツを再生させる機器を選択する。したがって、優先的に提示された機器を選択しやすくなる効果を奏する。【０１４６】
なお、上記コンテンツ配信装置は、コンピュータによって実現してもよい。この場合、コンピュータを上記各手段として動作させることにより上記コンテンツ配信装置をコンピュータにおいて実現するプログラム、およびそのプログラムを記録したコンピュータ読み取り可能な記録媒体も、本発明の範疇に入る。【０１４７】
また、本発明に係る他のコンテンツ配信装置は、上記の課題を解決するために、
指定されたコンテンツを再生するためのコンテンツ再生要求を受信する受信手段と、
前記受信されたコンテンツ再生要求に基づき、前記コンテンツ、および前記コンテンツの取得および再生に関する情報であるコンテンツ情報を取得するコンテンツ取得手段と、
ネットワークを通じてコンテンツ配信装置に接続された複数のコンテンツ再生機器から、各再生機器の属性を表す属性情報を取得する属性情報取得手段と、
前記取得されたコンテンツ情報および属性情報に基づき、前記コンテンツを再生できるコンテンツ再生機器を特定する特定手段と、
前記取得されたコンテンツを、前記特定されたコンテンツ再生機器に配信することによって、当該コンテンツを当該コンテンツ再生機器に再生させる配信手段とを備えていることを特徴としている。【０１４８】
以上のように、本発明に係るコンテンツ配信装置は、外部からコンテンツを取得する取得手段と、上記コンテンツを再生できるコンテンツ再生機器を、複数のコンテンツ再生機器の中から少なくとも１つ特定する特定手段と、上記特定手段が特定したコンテンツ再生機器に、上記コンテンツを配信するコンテンツ配信手段とを備えているため、ユーザが視聴を求めたコンテンツを、コンテンツ再生機器を通じてユーザが確実に視聴できる効果を奏する。【０１４９】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１５０】
本発明は、コンテンツを外部から取得し、自装置の管理下にある各種のコンテンツ再生機器に配信する各種のゲートウェイ装置として、幅広く利用できる。
【図１】
2008153067.tif 000003
【図２】
2008153067.tif 000004
【図３】
2008153067.tif 000005
【図４】
2008153067.tif 000006
【図５】
2008153067.tif 000007
【図６】
2008153067.tif 000008
【図７】
2008153067.tif 000009
【図８】
2008153067.tif 000010
【図９】
2008153067.tif 000011
【図１０】
2008153067.tif 000012
【図１１】
2008153067.tif 000013
【図１２】
2008153067.tif 000014
【図１３】
2008153067.tif 000015
【図１４】
2008153067.tif 000016
【図１５】
2008153067.tif 000017
【手続補正書】
【提出日】平成21年12月9日(2009.12.9)
【手続補正２】
【補正対象書類名】特許請求の範囲
【補正対象項目名】全文
【補正方法】変更
【補正の内容】
【特許請求の範囲】
【請求項１】
指定されたコンテンツを再生するためのコンテンツ再生要求を受信する受信手段と、
上記受信されたコンテンツ再生要求に基づき、上記コンテンツ、および上記コンテンツの取得および再生に関する情報であるコンテンツ情報を取得する取得手段と、
ネットワークを通じてコンテンツ配信装置に接続された複数のコンテンツ再生機器から、各再生機器の属性を表す属性情報を取得する属性情報取得手段と、
上記取得されたコンテンツ情報および属性情報に基づき、上記コンテンツを再生できるコンテンツ再生機器を特定する特定手段と、
上記取得されたコンテンツを、上記特定されたコンテンツ再生機器に配信することによって、当該コンテンツを当該コンテンツ再生機器に再生させる配信手段と、
上記特定手段が複数の上記コンテンツ再生機器を特定したとき、これらのうち、どの上記コンテンツ再生機器に上記コンテンツを配信するのかを、ユーザに選択させる選択手段とを備え、
上記特定手段は、複数の上記コンテンツ再生機器を特定する際、予め定められたルールに従って、特定した各上記コンテンツ再生機器を提示するときの優先順位を決定し、
上記選択手段は、上記特定手段によって特定された複数の上記コンテンツ再生機器を、上記優先順位に従って順位を付けてユーザに提示し、
上記配信手段は、上記コンテンツを、上記選択手段を通じて上記ユーザが選択した上記コンテンツ再生機器に配信することを特徴とするコンテンツ配信装置。
【請求項２】
上記選択手段は、上記優先順位がより高い上記コンテンツ再生機器をユーザに提示するとき、上記優先順位がより高い理由を共にユーザに提示することを特徴とする請求の範囲第１項に記載のコンテンツ配信装置。
【請求項３】
上記特定手段は、
上記コンテンツのフォーマットに対応した上記コンテンツ再生機器を、上記コンテンツを再生できる上記コンテンツ再生機器として特定することを特徴とする請求の範囲第１項に記載のコンテンツ配信装置。
【請求項４】
所定のフォーマットに変換後の上記コンテンツを、上記コンテンツ再生機器が再生できるか否かを判定する判定手段と、
上記取得手段が取得した上記コンテンツを、上記フォーマットのものに変換する変換手段とをさらに備え、
上記特定手段は、
上記判定手段によって、上記所定のフォーマットに変換後の上記コンテンツを再生できると判定された上記コンテンツ再生機器を、上記コンテンツを再生できる上記コンテンツ再生機器として特定し、
上記配信手段は、
上記変換手段によって上記所定のフォーマットのものに変換されたあとの上記コンテンツを、上記コンテンツ再生機器に配信することを特徴とする請求の範囲第１項に記載のコンテンツ配信装置。
【請求項５】
上記特定手段は、
上記コンテンツを配信する際の配信方法に対応した上記コンテンツ再生機器を、上記コンテンツを再生できる上記コンテンツ再生機器として特定することを特徴とする請求の範囲第１項に記載のコンテンツ配信装置。
【請求項６】
規定の配信方法とは異なる他の配信方法によって配信した上記コンテンツを、上記コンテンツ再生機器が再生できるか否かを判定する判定手段をさらに備え、
上記特定手段は、
上記判定手段によって、上記他の配信方法によって配信した上記コンテンツを再生できると判定された上記コンテンツ再生機器を、上記コンテンツを再生できる上記コンテンツ再生機器として特定し、
上記配信手段は、
上記コンテンツを、上記他の配信方法によって上記コンテンツ再生機器に配信することを特徴とする請求の範囲第１項に記載のコンテンツ配信装置。
【請求項７】
上記選択手段は、上記フォーマットに関する情報を、上記ユーザに提示することを特徴とする請求の範囲第４項に記載のコンテンツ配信装置。
【請求項８】
上記選択手段は、
上記特定手段によって特定された複数の上記コンテンツ再生機器のうち、上記コンテンツ取得手段が取得したコンテンツをそのまま再生できるコンテンツ再生機器を、上記変換手段が上記フォーマットに変換した上記コンテンツを再生できる上記コンテンツ再生機器よりも優先的に上記ユーザに提示することを特徴とする請求の範囲第３項に記載のコンテンツ配信装置。
【請求項９】
上記選択手段は、上記コンテンツの品質を変えることなく、フォーマットおよび通信方法の少なくともいずれかを変換すれば上記コンテンツを再生できる上記コンテンツ再生機器を、フォーマットおよび通信方法の少なくともいずれかを変換することによって上記コンテンツの品質を変えれば上記コンテンツを再生できる上記コンテンツ再生機器よりも優先的に上記ユーザに提示することを特徴とする請求の範囲第１項に記載のコンテンツ配信装置。
【請求項１０】
上記選択手段は、同一のパラメータを用いるコーデックのみを変更すれば上記コンテンツを再生できる上記コンテンツ再生機器を、フォーマットおよび通信方法の少なくともいずれかを変換することによって上記コンテンツの品質を変えれば上記コンテンツを再生できる上記コンテンツ再生機器よりも優先的に上記ユーザに提示することを特徴とする請求の範囲第９項に記載のコンテンツ配信装置。
【請求項１１】
上記選択手段は、同一のパラメータを用いるコーデックのみを変更して上記コンテンツを変換すれば上記コンテンツを再生できる上記コンテンツ再生機器を、フレームサイズおよびフレームレートの少なくともいずれかを変更して上記コンテンツを変換すれば上記コンテンツを再生できる上記コンテンツを再生できる上記コンテンツ再生機器よりも優先的に上記ユーザに提示することを特徴とする請求の範囲第９項に記載のコンテンツ配信装置。
【請求項１２】
上記選択手段は、フレームサイズおよびフレームレートの少なくともいずれかを変更して上記コンテンツを変換すれば上記コンテンツを再生できる上記コンテンツ再生機器を、変換後に元の状態から大きく利用が制限される上記コンテンツを再生できる上記コンテンツ再生機器よりも優先的に上記ユーザに提示することを特徴とする請求の範囲第１項に記載のコンテンツ配信装置。
【請求項１３】
ユーザが指定した部屋番号の部屋にある上記コンテンツ再生機器を、当該部屋にある上記コンテンツ再生機器と上記コンテンツの再生条件が同じであり、かつ、上記部屋に無い上記コンテンツ再生機器よりも優先的に上記ユーザに提示することを特徴とする請求の範囲第１項に記載のコンテンツ配信装置。
【請求項１４】
指定されたコンテンツを再生するためのコンテンツ再生要求を受信する受信工程と、
上記受信されたコンテンツ再生要求に基づき、上記コンテンツ、および上記コンテンツの取得および再生に関する情報であるコンテンツ情報を取得する取得工程と、
ネットワークを通じてコンテンツ配信装置に接続された複数のコンテンツ再生機器から、各再生機器の属性を表す属性情報を取得する属性情報取得工程と、
上記取得されたコンテンツ情報および属性情報に基づき、上記コンテンツを再生できるコンテンツ再生機器を特定する特定工程と、
上記取得されたコンテンツを、上記特定されたコンテンツ再生機器に配信することによって、当該コンテンツを当該コンテンツ再生機器に再生させる配信工程と、
上記特定工程において複数の上記コンテンツ再生機器を特定したとき、これらのうち、どの上記コンテンツ再生機器に上記コンテンツを配信するのかを、ユーザに選択させる選択工程とを備え、
上記特定工程において、複数の上記コンテンツ再生機器を特定する際、予め定められたルールに従って、特定した各上記コンテンツ再生機器を提示するときの優先順位を決定し、
上記選択工程において、上記特定工程において特定された複数の上記コンテンツ再生機器を、上記優先順位に従って順位を付けてユーザに提示し、
上記配信工程において、上記コンテンツを、上記選択工程において上記ユーザが選択した上記コンテンツ再生機器に配信することを特徴とするコンテンツ配信方法。
【請求項１５】
請求の範囲第１項から第１３項のいずれか１項に記載のコンテンツ配信装置を動作させるプログラムであって、コンピュータを上記の各手段として機能させるためのプログラム。
【請求項１６】
ユーザが所持する携帯端末と、ホームネットワークに接続されているホームゲートウェイと、フォーリンネットワークに接続されているフォーリンゲートウェイおよび複数のコンテンツ再生機器とを備えているコンテンツ配信システムであって、
上記携帯端末は、
上記ホームゲートウェイにアクセスする場合に必要となるアクセス許可情報を、上記フォーリンゲートウェイに送信する送信手段と、
上記フォーリンゲートウェイから送信されたリスト情報を受信するリスト情報受信手段と、
上記リスト情報を上記ユーザに提示することによって、上記複数のコンテンツ再生機器の中からコンテンツを配信させたいコンテンツ再生機器を選択させる選択手段と、
上記ユーザが選択した上記コンテンツ再生機器に上記コンテンツの配信を求めるリクエスト情報を、上記フォーリンゲートウェイに送信するリクエスト情報送信手段とを備えており、
上記ホームゲートウェイは、
上記フォーリンゲートウェイから送信されたアクセス許可情報を受信するアクセス許可情報受信手段と、
上記アクセス許可情報を受信した場合に、上記ホームゲートウェイ内に保存されているコンテンツ、および、当該コンテンツの取得および再生に関するコンテンツ情報を、上記フォーリンゲートウェイに送信するコンテンツ送信手段とを備えており、
上記フォーリンゲートウェイは、
上記携帯端末から送信されたアクセス許可情報を受信するアクセス許可情報受信手段と、
上記受信したアクセス許可情報を、上記ホームゲートウェイに送信するアクセス許可情報送信手段と、
指定されたコンテンツを再生するためのコンテンツ再生要求を受信する受信手段と、
上記受信されたコンテンツ再生要求に基づき、上記コンテンツおよび上記コンテンツ情報を上記ホームゲートウェイから取得する取得手段と、
上記複数のコンテンツ再生機器から、各コンテンツ再生機器の属性を表す属性情報を取得する属性情報取得手段と、
上記取得されたコンテンツ情報および属性情報に基づき、上記コンテンツを再生できる複数のコンテンツ再生機器を特定する特定手段と、
上記特定した複数のコンテンツ再生機器の一覧を示すリスト情報を生成するリスト情報生成手段と、
上記リスト情報を上記携帯端末に送信するリスト情報送信手段と、
上記携帯端末から送信された上記リクエスト情報を受信するリクエスト情報受信手段と、
上記取得されたコンテンツを、上記リクエスト情報によって特定されたコンテンツ再生機器に配信することによって、当該コンテンツを当該コンテンツ再生機器に再生させる配信手段とを備えていることを特徴とするコンテンツ配信システム。
【国際調査報告】
2008153067.tif 000018
2008153067.tif 000019
2008153067.tif 000020
2008153067.tif 000021